(57)【特許請求の範囲】
【請求項１】
袋の開口部に沿って、当該袋の内面側に対向して配設され、互いに嵌脱自在に嵌合，離脱して前記開口部を開閉するチャックに取り付けられ、当該チャックを嵌合させるチャックスライダであって、
前記袋の開口部に沿ってスライド自在に係合し、前記チャックを挟持，押圧して嵌合させる、対向する一対の挟圧部を備えるスライダ本体と、
このスライダ本体の前記一対の挟圧部間に突出し、前記袋の開口内側端部に当接して、当該スライダ本体のスライドを規制するストッパと、を備え、
前記ストッパが、前記スライド本体に対して着脱可能に取り付けられる別部材により形成され、
前記ストッパが、頭部と、この頭部から突出する舌片部を備えるとともに、
前記スライダ本体が、前記ストッパの頭部を収納しつつ、当該ストッパの舌片部を前記一対の挟圧部間に突出させる収納部を備え、
前記ストッパが、スライダ本体の側面から所定方向にガイドされつつ前記収納部にスライド収納されることにより、前記スライダ本体の収納部と前記ストッパの頭部が弾性をもって嵌合し、当該ストッパが前記スライダ本体に取り付けられることを特徴とするチャックスライダ。
【請求項２】
前記スライダ本体がほぼＵ字状に連続する一体形状に形成され、
前記一対の挟圧部が、前記チャックを一定の弾性をもって挟持，押圧する請求項１記載のチャックスライダ。
【請求項３】
前記頭部が、前記舌片部が突出する底面部と、この底面部の両端から中心方向に向かってほぼ山形状に傾斜し、対向する先端部に空間を形成する二枚一対の板状片を備えるとともに、
前記収納部が、当該収納部内壁中心に形成される凸部と、前記頭部の底面部に摺接するガイド部を備え、
前記頭部の二枚一対の板状片が撓むことにより、当該板状片先端部の空間に前記凸部が弾性をもって嵌合する請求項１又は２記載のチャックスライダ。
【請求項４】
袋の開口部に沿って、当該袋の内面側に対向して配設され、互いに嵌脱自在に嵌合，離脱して前記開口部を開閉するチャックに取り付けられ、当該チャックを嵌合させるチャック嵌合手段を備える密封袋であって、
前記チャック嵌合手段が、前記請求項１，２又は３記載のチャックスライダからなることを特徴とするチャックスライダを備えた密封袋。
【請求項５】
前記チャックが、前記開口部に沿って平行に二以上備えられる請求項４記載のチャックスライダを備えた密封袋。
【発明の詳細な説明】
【０００１】
【発明の属する技術分野】
本発明は、合成樹脂フィルム等からなる袋の開口部にスライド自在に取り付けられ、開口部を開閉する嵌合式のチャック（ファスナ）を嵌合させるチャックスライダに関し、特に、チャックを嵌合させるスライダ本体と、スライダ本体が袋から脱落することを防止するストッパとを、組立て可能な別部材によって形成することにより、スライダ全体を簡易かつ小型，軽量な構成としつつ、チャックスライダを袋に対して容易かつ確実に取り付けることができ、スライダ本体の脱落も生じない、寝具や衣類の圧縮収納に用いられる大型の密封袋に好適なチャックスライダ及びこのチャックスライダを備えた密封袋に関する。
【０００２】
【従来の技術】
これまで、開口部に嵌合式のチャック（ファスナ）を備えた、合成樹脂フィルム等からなる袋が知られている。
この種のチャック付きの樹脂製袋は、袋自体が安価で大量に製造でき、軽量かつ可撓性，耐水性等に優れる上、嵌合式のチャックの開閉が自在で、しかも、チャックを閉じることにより袋内を容易に密封できることから、例えば、衣類用，寝具用，食品用等の容器，袋として、近年急速に普及している。
特に最近は、このような樹脂製袋の用途として、袋に蒲団や枕等の寝具やオーバー，コート等の衣類を収納し、チャックを閉じて密封状態にした後、袋内の空気を、掃除機等を用いて脱気することにより、寝具や衣類を非常に薄い状態に圧縮して収納できるようにした圧縮収納用の密封袋として利用されている。
【０００３】
ここで、このような樹脂製袋に備えられるチャックは、袋の開口部に沿って一体成形された樹脂製の凹条部及び凸条部からなっており、この凹条部と凸条部が嵌合，離脱することによって、袋の開口部が開閉され、嵌合時には袋内部が密封されるようになっている。
このような嵌合式のチャックの開閉は、袋を閉じる場合には、離間している凹条部と凸条部の一部を位置合わせしつつ指で挟持し、その挟持箇所を押圧して凹凸を嵌合させ、その押圧している指を開口部に沿って移動させることによって、凹条部と凸条部を順次嵌合させて、チャック全体を閉じ合わせることができる。また、チャックを開く場合には、袋開口の縁部を指で持って両側に引くことで、凹条部と凸条部の嵌合の一部を解除し、嵌合の外れた部分から順次チャックを離間させ、チャック全体の嵌合を外して袋を開くことができる。
【０００４】
このように、樹脂製袋のチャックは、使用者が指でチャックを挟持，押圧するだけで簡単に嵌合できるものであるが、袋が大きくなってチャック全体の長さが長くなると、長いチャックを指で押圧し続けることが困難となり、チャックを完全に閉じることができない場合があった。
また、チャックが袋の開口部に沿って二重に備えられる二重構造となっている場合にも、二重のチャックを確実に嵌合させることが困難となる場合があった。そこで、このようにチャックの嵌合が困難となる、特に寝具用密封袋等に備えられる大型のチャックや二重構造のチャックについて、指で押圧することなく容易に嵌合させて確実にチャックを閉じ合わせることができるチャック嵌合具（チャックスライダ）が提案されている。
【０００５】
図６は、このような従来提案されているチャック嵌合具を示す、（ａ）はチャック嵌合具の外観斜視図、（ｂ）は側面図である。
また、図７は、図６に示すチャック嵌合具を袋に取り付けた状態を示す要部外観斜視図である。
これらの図に示すように、チャック嵌合具１００は、樹脂製の袋１の開口部１ａに備えられる凹凸条部４ａ，４ｂからなるチャック４を嵌合させる嵌合手段である。
なお、図7に示す袋１は、凹凸条部４ａ，４ｂからなるチャック４が、開口部１ａに沿って平行に二条備えられた二重構造のチャックを有する形態となっている。
【０００６】
このチャック嵌合具１００は、図６に示すように、合成樹脂等をＵ字形状に一体成形したもので、チャック４の凹凸条部４ａ，４ｂの嵌合時の厚みとほぼ同じ程度の距離に離間する一対の挟持片１０１，１０２を備えている。
この一対の挟持片１０１，１０２でチャック４を挟持することにより、チャック４が一定の弾性をもって押圧され、この押圧力によって凹凸条部４ａ，４ｂが嵌合するようになっている。
従って、袋１にチャック嵌合具１００を取り付け、開口部１ａに沿ってスライド移動させることにより（図７に示す矢印参照）、挟持片１０１，１０２の押圧力によって凹凸条部４ａ，４ｂを順次嵌合させることができる。
これにより、嵌合具１００を開口部１ａの一端から他端までスライドさせることで、チャック全体を閉じ合わせることができるようになっている。
【０００７】
このようなチャック嵌合具１００を備える袋１では、指でチャック４を挟持，押圧することなく、開口部１ａに取り付けたチャック嵌合具１００をスライドさせるだけで、チャック４を容易かつ確実に嵌合，閉止させて開口部１ａを閉じることができ、大型のチャックや二重構造のチャックであっても、確実にチャックを閉じ合わせることが可能であった。
このようなチャック嵌合具に関するものとしては、これまで、例えば特開平１１−２９２０３７号公報の「袋のファスナー嵌合操作具」や、実公平７−４６１６９号公報の「ファスナー締付け具」等に記載された嵌合具が知られている。
【０００８】
ところが、このような従来のチャック嵌合具では、図７に示したように、一対の挟持片が袋の開口縁部を挟持するだけだったので、嵌合具を袋の開口部に沿ってスライドさせると、嵌合具が開口端部まで移動した時点で、そのまま袋から脱落してしまうという問題が生じた。
そこで、このようなチャック嵌合具の脱落を防止するため、嵌合具の一対の挟持片の間に、脱落防止用のストッパを設けたストッパ付き嵌合具が提案されている。
以下、図８〜図１０を参照して、このような脱落防止用のストッパを備えた従来のストッパ付きチャック嵌合具について簡単に説明する。
【０００９】
図８に示すストッパ付きチャック嵌合具は、図６に示した嵌合具と同様、Ｕ字形状に一体成形された嵌合具本体２００が一対の挟持片２０１，２０２を備え、この一対の挟持片２０１，２０２に、チャック４の凹凸条部４ａ，４ｂ（図７参照）を押圧する押圧溝２００ａが形成され、これによってチャック４を押圧して嵌合させるようになっている。
そして、この一対の挟持片２０１，２０２の対向面間に、挟持片２０１，２０２と平行に突出する舌片状のストッパ２０３が、嵌合具本体２００と一体的に形成されるようになっている。
【００１０】
ストッパ２０３は、嵌合具本体２００が袋１に取り付けられると、開口部１ａの一面２及び他面３（図７参照）の間に突出するようになっており、嵌合具本体２００が開口部１ａの端部までスライドすると、ストッパ２０３が袋１の貼着部５（開口部の端部内側）に当接するようになっている（図７参照）。
このストッパ２０３の当接により、嵌合具本体２００のスライドが規制され、嵌合具本体２００が袋１から脱落することが防止されるようになる。
このような脱落防止用のストッパを備えたストッパ付きチャック嵌合具としては、例えば、実用新案登録第３０５９６７７号の「密封用袋の開口部に設けられたファスナーの係合用スライダー」に記載されているものがある。
【００１１】
また、図９に示すストッパ付きチャック嵌合具は、嵌合具本体３００が、図８に示した嵌合具本体２００と同様、一対の挟持片３０１，３０２の間に突出する舌片状のストッパ３０３を、挟持片３０１，３０２と一体的に備えている。
この図９に示す嵌合具本体３００では、一対の挟持片３０１，３０２が折曲げ自在な一枚の板状部材で構成され、この挟持片３０１，３０２が、凹凸状のボタン部３０４の嵌合によりＵ字状に保持され、チャックを押圧する押圧溝３００ａ，３００ｂが形成されるようになっている。
【００１２】
このストッパ付きチャック嵌合具によっても、ボタン部３０４の嵌合によりＵ字状に保持された挟持片３０１，３０２の間にストッパ３０３が平行に突出するので、このストッパ３０３が袋１の貼着部５に当接して、嵌合具本体３００の脱落が防止されるようになっている。
このような脱落防止用ストッパを備え、嵌合具本体が折曲げ自在に構成されたチャック嵌合具は、例えば、実用新案登録第３０４６７０４号の「開口部の密閉具を備えた可圧縮物の圧縮密封袋」に提案されている。
【００１３】
さらに、図１０に示すストッパ付きチャック嵌合具は、図９に示した嵌合具本体３００と同様、嵌合具本体４００の一対の挟持片４０１，４０２が折曲げ自在な板状部材によって構成され、Ｕ字状に折り曲げられた挟持片４０１，４０２の間に舌片状のストッパ４０３が突出するようになっている。
そして、この嵌合具では、折曲げられた挟持片４０１，４０２をさらに外側から挟持する補助部材４０４が備えられている。
【００１４】
補助部材４０４は、折り曲げられた挟持片４０１，４０２を外側から挟持可能なＵ字形状に形成されており、この補助部材４０４によって、折り曲げられた挟持片４０１，４０２がＵ字状に保持され、チャックを押圧する押圧溝４００ａ，４００ｂが形成されるようになっている。
このストッパ付きチャック嵌合具によっても、補助部材４０４の挟持によりＵ字状に保持された挟持片４０１，４０２の間にストッパ４０３が突出するので、このストッパ４０３が袋１の貼着部５に当接して、嵌合具本体４００の脱落が防止されることになる。
このような折曲げ自在に構成された嵌合具本体を補助部材で保持するチャック嵌合具は、例えば、実用新案登録第３０５１４８２号の「対設した雌雄の帯条ファスナーの係合具」に提案されている。
【００１５】
【発明が解決しようとする課題】
このように、一対の挟持片に対して脱落防止用のストッパを一体的に形成した従来の各ストッパ付きチャック嵌合具では、ストッパが袋の開口端部の内側に当接することで、嵌合具の脱落を防止できるようになっていた。
ところが、このような脱落防止用のストッパを備えた従来のストッパ付きチャック嵌合具では、以下のような種々の問題が生じることとなった。
【００１６】
まず、図８に示す嵌合具では、嵌合具本体がＵ字状に一体成形されていたため、ストッパを設けることにより、嵌合具本体の袋側への取付け作業がきわめて困難となるという問題が生じた。
ストッパを備えない嵌合具（図６参照）の場合、袋の側辺縁から貼着部を一対の挟持片間に挿入させ、そのまま嵌合具をスライドさせることで簡単に袋に取り付けることができた。
【００１７】
ところが、挟持片の間にストッパが突出するストッパ付き嵌合具では、ストッパを袋の開口部の間に突出させる必要があり、袋の貼着部側から取り付けることはできなかった。
このため、このストッパ付きチャック嵌合具では、対向する一対の挟持片を指や器具等を用いて開き、その挟持片の間に袋の開口部側の辺縁からチャック部を嵌入し、さらに、開口部の間にストッパを挿入して突出させなければならなかった。
【００１８】
一対の挟持片は、チャックの厚みとほぼ同じ間隔となるよう一体成形されており、この挟持片をチャックの厚みより大きく開いて、チャックを嵌入させつつ袋に取り付けることは非常に困難であり、挟持片を開くための器具等も必要であった。
このため、嵌合具の取付け作業がきわめて煩雑で困難なものとなり、特に、大量の袋に嵌合具を一つ一つ取り付けて製品化する工程において、嵌合具付き密封袋の製造効率が著しく低下するという問題が発生した。
【００１９】
一方、図９に示す嵌合具では、一対の挟持片が折曲げ自在な板状に形成されているため、袋への取付けは、展開した挟持片を取付け箇所で折り曲げ、ボタン部を嵌合させてＵ字状にすればよく、図８の嵌合具におけるような取付け作業の困難性の問題は生じなかった。
しかしながら、この嵌合具では、挟持片をＵ字状に保持するボタン部の嵌合が外れ易いという問題が発生した。
【００２０】
折り曲げられた挟持片は、元の板状に復帰する方向に力が働くため、ボタン部には常に嵌合が外れる方向に力が作用することになる。しかも、挟持片は袋の開口部にそって移動が繰り返される上、チャック側からの反発力も受けることになるので、ボタン部には嵌合が外れる方向に相当の力が作用する結果となる。
このため、図９に示す嵌合具では、スライドさせている最中等にボタン部の嵌合が外れてしまうおそれがあり、ボタン部が外れた嵌合具は再度袋に取付け直さなければならないことから、円滑なチャックの嵌合，閉止動作が行えなくなるという問題が発生した。
また、嵌合具の使用年数が経過したり、袋への着脱が繰り返されたりすると、ボタン部の嵌合がさらに外れ易くなるおそれがあり、製品の信頼度が低下するおそれもあった。
【００２１】
この点、図１０に示した嵌合具では、Ｕ字状に折り曲げられた挟持片を、さらに補助部材で挟持するため、ボタン部が外れて嵌合具が使用できなくなるような弊害は生じなかった。
しかし、この図１０に示す嵌合具では、折り曲げられた挟持片を外側から覆って挟持する補助部材を備えるため、嵌合具全体が大型化，複雑化，大重量化して大がかりなものとなってしまい、製造コストも増大するという問題が生じた。
また、補助部材を挟持片に取り付ける作業も、挟持片を所定位置に位置合わせしつつ折り曲げた状態で、補助部材を挟持片の外側に嵌め込む必要があり、しかも、補強部材は挟持片の厚み以上に開かなければならなかったので、上述した図８の嵌合具の場合と同様、取付け作業がきわめて煩雑かつ困難なものとなるという問題も発生した。
【００２２】
本発明は、このような従来の技術が有する問題を解決するために提案されたものであり、チャックを嵌合させるスライダ本体と、袋からスライダ本体が脱落することを防止するストッパとを、組立て可能な別部材によって形成することにより、スライダ全体を簡易かつ小型，軽量な構成としつつ、チャックスライダを袋に対して容易かつ確実に取り付けることができ、スライダの脱落等も生じない、信頼性の高いチャックスライダ及びこのチャックスライダを備えた密封袋の提供を目的とする。
特に、寝具や衣類の圧縮収納に用いられる大型の密封袋に好適なチャックスライダ及びこのチャックスライダ付き密封袋の提供を目的とする。
【００２３】
上記目的を達成するため、本発明の請求項１記載のチャックスライダは、袋の開口部に沿って、当該袋の内面側に対向して配設され、互いに嵌脱自在に嵌合，離脱して前記開口部を開閉するチャックに取り付けられ、当該チャックを嵌合させるチャックスライダであって、前記袋の開口部に沿ってスライド自在に係合し、前記チャックを挟持，押圧して嵌合させる、対向する一対の挟圧部を備えるスライダ本体と、このスライダ本体の前記一対の挟圧部間に突出し、前記袋の開口内側端部に当接して、当該スライダ本体のスライドを規制するストッパと、を備え、前記ストッパが、前記スライド本体に対して着脱可能に取り付けられる別部材により形成され、前記ストッパが、頭部と、この頭部から突出する舌片部を備えるとともに、前記スライダ本体が、前記ストッパの頭部を収納しつつ、当該ストッパの舌片部を前記一対の挟圧部間に突出させる収納部を備え、前記ストッパが、スライダ本体の側面から所定方向にガイドされつつ前記収納部にスライド収納されることにより、前記スライダ本体の収納部と前記ストッパの頭部が弾性をもって嵌合し、当該ストッパが前記スライダ本体に取り付けられる構成としてある。
【００２４】
特に、請求項２記載のチャックスライダは、前記スライダ本体がほぼＵ字状に連続する一体形状に形成され、前記一対の挟圧部が、前記チャックを一定の弾性をもって挟持，押圧する構成としてある。
【００２５】
このような構成からなる本発明のチャックスライダによれば、袋のチャックを押圧，嵌合させるスライダ本体と、スライダ本体の移動を規制して袋からのスライダ本体の脱落を防止するストッパを、組立て可能な別体に構成してあるので、チャックスライダの袋への取付け作業を容易かつ確実に行うことができる。
すなわち、チャックスライダの袋への取付け作業は、まず、スライダ本体を袋の開口部の一端側から、袋の貼着部を挟圧部の対向間に挿入しつつ取り付ける。そして、袋に取り付けられたスライダ本体に、別体のストッパを取り付けることにより、チャックスライダを袋に対して脱落不能に取り付けることができる。この際、一体成形によりほぼＵ字状に形成されたスライダ本体を開いたり、開いた状態のスライダ本体に袋のチャック部分を嵌入させるといった作業は一切不要となり、そのための器具等もまったく必要としない。
【００２６】
これにより、従来はきわめて困難かつ煩雑であったストッパ付きのチャックスライダの取付けを、容易かつ確実に行うことができ、器具等の使用も一切必要なくなるので、特に、大量の袋に嵌合具を取り付けて製品化する場合でも、取付け作業を容易，迅速かつ確実に行うことが可能となり、チャックスライダの取付け工程における作業効率を大幅に向上させることができ、製造コストの低減化を実現できる。
また、スライダ本体は、合成樹脂等をほぼＵ字状に一体成形して形成されるので、スライダ本体をＵ字状に保持するための嵌合構造や保持手段等を別途設ける必要もまったくなく、取り付けられたスライダ本体が袋から脱落したり、スライダ本体が大型化，大重量化する等の弊害も一切なくなり、チャックスライダを簡易かつ小型，軽量に構成することができる。
【００２８】
特に、請求項３記載のチャックスライダでは、前記頭部が、前記舌片部が突出する底面部と、この底面部の両端から中心方向に向かってほぼ山形状に傾斜し、対向する先端部に空間を形成する二枚一対の板状片を備えるとともに、前記収納部が、当該収納部内壁中心に形成される凸部と、前記頭部の底面部に摺接するガイド部を備え、前記二枚一対の板状片が撓むことにより、当該板状片先端部の空間に前記凸部が弾性をもって嵌合する構成としてある。
【００２９】
このような構成からなる本発明のチャックスライダによれば、スライダ本体のＵ字状に湾曲，屈曲する部分の空間を利用してストッパの収納部を形成し、ストッパを、この収納部にスライド収納可能な頭部を有する構成とすることにより、スライダ本体及びストッパを大型化，複雑化させることなく、ストッパをスライダ本体に確実，堅固に取り付けることができ、取付け作業も容易かつ確実に行えるようにすることができる。
特に、スライダ本体とストッパに、弾性をもって嵌合可能な凹凸構造とすることにより、ストッパは、スライダ本体に対して容易に嵌合，取付けすることができるとともに、取り付けられたストッパは、嵌合力によって堅固に保持され、スライダ本体から脱落することもない。
これによって、小型軽量な構成であって、取付け作業も容易で、しかも、脱落等の弊害もない、信頼性の高いチャックスライダを提供することができる。
【００３０】
そして、請求項４記載の密封袋は、袋の開口部に沿って、当該袋の内面側に対向して配設され、互いに嵌脱自在に嵌合，離脱して前記開口部を開閉するチャックに取り付けられ、当該チャックを嵌合させるチャック嵌合手段を備える密封袋であって、前記チャック嵌合手段が、前記請求項１，２又は３記載のチャックスライダからなる構成としてある。
【００３１】
特に、請求項５記載の密封袋は、前記チャックが前記開口部に沿って平行に二以上備えられる構成としてある。
【００３２】
このように、本発明では、上述した小型軽量で、袋への取付け作業が容易で、脱落等のおそれもない信頼性の高い本発明にかかるチャックスライダを、チャック嵌合手段として備える密封袋を提供することができる。
これにより、嵌合，閉止が困難となり易い二重構造チャック等の多重チャックを備える密封袋についても、チャックの嵌合手段として本発明にかかるチャックスライダを採用することができ、袋への取付けが容易で、製造コストの低減化が可能で、かつ、信頼性の高いチャックスライダ付き密封袋を実現することができる。
特に、寝具，衣類の圧縮収納に用いられる袋として好適な密封袋を提供することができる。
【００３３】
【発明の実施の形態】
以下、本発明にかかるチャックスライダの好ましい実施形態について、図１〜図５を参照しつつ説明する。
図１は、本発明の一実施形態にかかるチャックスライダを示す分解状態の外観斜視図である。
図２は、本実施形態にかかるチャックスライダを示す、（ａ）は分解状態の側面図、（ｂ）は組立て状態の側面図である。
図３は、本実施形態にかかるチャックスライダを示す、（ａ）は分解状態の正面図、（ｂ）は組立て状態の要部断面正面図である。
図４は、本実施形態にかかるチャックスライダを袋に取り付けた状態を示す要部外観斜視図である。
また、図５は、本実施形態にかかるチャックスライダを袋に取り付けた状態を示す、（ａ）は袋全体の正面図、（ｂ）は（ａ）の二点鎖線に示す部分の拡大図である。
【００３４】
［密封袋］
まず、本実施形態にかかるチャックスライダが取り付けられる袋について説明する。
本実施形態にかかる袋１は、図４及び図５に示すように、一辺に開口部１ａを有する袋状に形成されるとともに、この開口部１ａに沿って、嵌合式のチャック４を備える密封袋である。
この袋１は、通常、一枚の樹脂製フィルムが折り曲げられ、開口部１ａとなる一辺の両端を熱融着等の手段により貼り合わされることによって（図４及び図５に示す貼着部５）、袋状に形成されるようになっている。
【００３５】
チャック４は、図４及び図５に示すように、袋１の開口部１ａに沿って、袋１を構成する一面２及び他面３のそれぞれ内面側に対向して配設される凹条部及び凸条部４ａ，４ｂからなっている。
この凹凸条部４ａ，４ｂが互いに嵌脱自在に嵌合，離脱することにより、袋１の開口部１ａが開閉されることになる。
なお、本実施形態にかかる袋１は、図４及び図５に示すように、凹凸条部４ａ，４ｂからなるチャック４が、開口部１ａに沿って平行に二条備えられる二重構造のチャックとなっている。
【００３６】
ここで、本実施形態で示すようにチャック４を二重に備える二重構造チャックは、袋１の気密性を確実に保つことができるので、特に、袋内を脱気して使用する寝具や衣類の圧縮用密封袋のチャック構造として好適である。
ただし、本実施形態にかかるチャックスライダは、袋１に備えられるチャック４が少なくとも一つあれば適用できるものである。
従って、必要に応じて、二以上のチャック４を備える多重チャックを採用することもできる。
【００３７】
［チャックスライダ］
次に、本実施形態にかかるチャックスライダの構成について説明する。
本実施形態にかかるチャックスライダは、上述した袋１の開口部１ａに備えられるチャック４を嵌合させるチャック嵌合手段であり、図１に示すように、スライダ本体１０と、このスライダ本体１０と別体に形成されたストッパ２０を備えている。
スライダ本体１０は、図１に示すように、合成樹脂等が一端側で連続するほぼＵ字形状に形成され、チャック４の凹凸条部４ａ，４ｂの嵌合時の厚みとほぼ同じ程度の距離に離間する一対の挟圧部１１，１２と、この一対の挟圧部１１，１２が一体的に連続する連続部１３を備えており、袋１の開口部１ａに沿ってスライド自在に係合するようになっている。
【００３８】
このスライダ本体１０は、通常、硬質プラスチック等を原料として、金型を用いた一体成形加工により、図１及び図２に示すようなほぼＵ字形状に形成されるようになっている。
ここで、このスライダ本体１０の形成材料としては、一定の硬さと弾性を有する部材であれば特に限定はないが、安価に製造でき、加工が容易な材料が好ましい。一般には、ポリプロピレン樹脂やポリ塩化ビニル樹脂，ポリアセタール等、各種の合成樹脂材を使用することができる。
また、アルミニウム等の金属材料を使用することも可能である。
【００３９】
一対の挟圧部１１，１２は、図２に示すように、対向面間が、チャック４の凹凸条部４ａ，４ｂの嵌合時の厚みとほぼ同じ程度の距離に離間するように設定されている。
これにより、挟圧部１１，１２によって、凹凸条部４ａ，４ｂが嵌合していないチャック４を挟持すると、チャック４は両挟圧部１１，１２によって一定の弾性をもって押圧されることになり、この押圧力によってチャック４の凹凸条部４ａ，４ｂが嵌合されることになる。
従って、後述するように、チャック４を挟圧部１１，１２で挟持した状態でスライダ本体１０を開口部１ａに沿ってスライド移動させると、挟圧部１１，１２の押圧力によって凹凸条部４ａ，４ｂが順次嵌合することになる。
【００４０】
また、この一対の挟圧部１１，１２の対向面間には、図２に示すように、互いに当接する係止爪１１ａ，１２ａ、１１ｂ，１２ｂ、１１ｃ，１２ｃが突設してある。
この係止爪は、図２に示すように、挟圧部１１，１２の先端部に係止爪１１ａ，１２ａが形成されるとともに、先端部から所定間隔をもって係止爪１１ｂ，１２ｂ、１１ｃ，１２ｃが形成してある。
そして、この各係止爪の間に、それぞれ袋１のチャック４が配設され、挟圧部１１，１２の対向面間によって挟持されるようになっている（図４参照）。
すなわち、各係止爪は、本実施形態におけるチャック４の近傍において、互いに当接するようになっている。
【００４１】
このように、挟圧部１１，１２の対向面間に、互いに当接する係止爪を形成することによって、例えばスライダ本体１０が位置ずれ等した場合にも、各係止爪がチャック４の縁部に当接，係止することになり、この各係止爪がストッパとなってスライダ本体１０が位置ずれしたり袋１から抜け落ちることが防止されることになる。
なお、この係止爪は、スライダ本体１０で挟持，押圧するチャック４の数や幅，間隔に対応して設けることができ、各チャック４の近傍に設けることが好ましい。
特に、スライダ本体１０の位置ずれや脱落を防止するためには、スライダ本体１０の少なくとも先端に設ける（本実施形態における係止爪１１ａ，１２ａ参照）ことが望ましい。
【００４２】
連続部１３は、一対の挟圧部１１，１２を一体的に連続させる部分であり、本実施形態では、図２に示すように、湾曲形状に形成してある。
そして、この連続部１３の湾曲形状の内側に形成される空間を利用して、収納部１４が設けられている。
なお、この連続部１３は、本実施形態に示すような湾曲形状に限定されるものではなく、例えば一対の挟圧部１１，１２をコ字状に連続させる屈曲形状とすることもできる。
すなわち、連続部１３は、対向する挟圧部１１，１２を一体的に連続させ、内側に収納部１４が形成される空間を有する限りどのような形状としてもよい。
【００４３】
収納部１４は、後述するストッパ２０の頭部２１が収納可能な空間となっており、本実施形態では、図２及び図３に示すように、頭部２１がスライダ本体１０の側面から摺接状態でスライドして収納できるよう、スライダ本体１０の側面から見てほぼ半円形状で、かつ、頭部２１より一回り程度大きい形状に形成されている。
そして、この収納部１４には、頭部２１の後述する嵌合凹部２１ｃに嵌合する嵌合凸部１４ａが形成されるとともに、頭部２１のスライド方向にガイドするガイド部１４ｂが形成されている。
【００４４】
嵌合凸部１４ａは、後述する頭部２１の頂部中心に形成される嵌合凹部２１ｃに嵌合可能な凸状部で、本実施形態では、図２に示すように、連続部１３内面の湾曲形状を利用して、ガイド部１４ｂと対向する連続部１３の内壁面の頂部中心を平面状に形成することにより形成してある。
ただし、この嵌合凸部１４ａは、頭部２１の嵌合凹部２１ｃに嵌合可能である限り、どのような形状，構造のものであってもよい。
【００４５】
ガイド部１４ｂは、後述する頭部２１の底面部２１ａに摺接する平面状に形成され（図２参照）、頭部２１を収納部１４の収納方向へガイドするようになっている。
このガイド部１４ｂで頭部２１がガイドされることにより、後述するように、ストッパ２０は収納部１４内にスライドしつつ収納され、かつ、頭部２１の嵌合凹部２１ｃと収納部１４の嵌合凸部１４ａとが弾性をもって滑らかに嵌合できるようになっている。
このガイド部１４ｂの形状，構造についても、頭部２１を収納部１４の収納方向にスライドするようにガイドできる限り、本実施形態における場合に限定されない。
例えば、収納部１４と頭部２１の間に、互いに係合する溝及び突条を設けることによって、頭部２１を収納部１４の収納方向にガイドすることもできる。
【００４６】
ストッパ２０は、上述した収納部１４に収納される頭部２１と、この頭部２１と一体的に形成された舌片部２２を備えている。
このストッパ２０は、スライダ本体１０と同様、合成樹脂等を一体成形することにより、頭部２１と舌片部２２とが一体的に形成されるようになっている。
頭部２１は、スライダ本体１０の収納部１４に摺接状態で収納可能な形状となっており、図２及び図３に示すように、収納部１４に収納可能なほぼ台形形状で、かつ、収納部１４の内周より一回り小さい大きさになっている。
【００４７】
そして、この頭部２１には、頂部に嵌合凹部２１ｃが形成されるようになっている。
具体的には、頭部２１は、図３に示すように、舌片部２２が一体的に形成される底面部２１ａと、この底面部２１ａの両端から中心方向に向かって、すなわち、ストッパ２０のスライド収納方向に沿って、ほぼ山形状（ハ字状）に傾斜する二枚一対の板状片２１ｂ，２１ｂを備えている。
この二枚の板状片２１ｂ，２１ｂが、頭部２１の頂部において空間を形成し、この空間が、収納部１４の嵌合凸部１４ａが嵌合可能な嵌合凹部２１ｃを構成している。
この嵌合凹部２１ｃを形成する二枚一対の板状片２１ｂ，２１ｂは、ストッパ２０を形成する合成樹脂等によって一体成形されているので、弾性をもって頭部中心に向かって撓むようになっている。
【００４８】
従って、ストッパ２０の収納時には、一対の板状片２１ｂ，２１ｂは、収納部１４の内壁に摺接して内側（頭部中心側）に撓んで、ストッパ２０が容易にスライド収納できるとともに、収納部１４の嵌合凸部１４ａが、頭部２１の嵌合凹部２１ｃに対して弾性をもって嵌合できるようになっている。
そして、嵌合した嵌合凸部１４ａには、板状片２１ｂ，２１ｂの先端が弾性をもって当接，嵌合するとともに、ストッパ２０が収納部１４から外れる方向に付勢されても、一対の板状片２１ｂ，２１ｂが外側に撓んで、嵌合凸部１４ａが外れないようになる。
これにより、頭部２１は、収納部１４の底面側のガイド部１４ｂと摺接状態で当接し、かつ、頂部側の嵌合凸部１４ａが嵌合凹部２１ｃに嵌合するので、収納部１４の上下内壁で挟持された状態で保持され脱落不能に収納されることになる。
【００４９】
舌片部２２は、頭部２１の底面部２１ａに一体的に突設される板状部材であり、図２に示すように、頭部２１が収納部１４に収納された状態で、スライダ本体１０の一対の挟圧部１１，１２の間に突出するようになっている。
この舌片部２２が一対の挟圧部１１，１２の間に突出することにより、後述するように、袋１に取り付けられたスライダ本体１０が開口部１ａに沿ってスライドし、開口端部まで移動すると、舌片部２２が袋１の開口内側端部の貼着部５に当接するようになっており（図５（ｂ）参照）、これによって、スライダ本体１０のスライドが規制されて、スライダ本体１０が袋１から脱落することが防止される。
【００５０】
次に、以上のような構成からなる本実施形態にかかるチャックスライダの袋への取付け方法と、袋に取り付けられたチャックスライダの動作について、図４及び図５を参照しつつ説明する。
［チャックスライダの取付け方法］
チャックスライダを袋１に取り付ける場合には、まず、スライダ本体１０を袋１の開口部１ａの一端側に位置合わせし、袋１の貼着部５を挟圧部１１，１２の対向間に挿入する（図４参照）。
スライダ本体１０は、先端の係止爪１１ａ，１２ａが内側のチャック４のさらに内側に位置するように位置合わせする（図５（ｂ）参照）。
そして、貼着部５を挟圧部１１，１２間に挿入した状態で、スライダ本体１０をそのまま袋１の開口部１ａに沿って内側にスライドさせる。
これによって、スライダ本体は１０はチャック４を挟持した状態で袋１に取り付けられる（図５参照）。
このとき、Ｕ字状に形成されたスライダ本体１０を開いたり、開いた状態のスライダ本体１０に袋のチャック部分を嵌入させるといった作業は一切不要で、スライダ本体１０は、開口部１ａに沿ってスライド移動させるだけ袋１側に取り付けることができる。
【００５１】
そして、袋１に取り付けられたスライダ本体１０に、別体のストッパ２０を取り付ける。
ストッパ２０の取付けは、ストッパ２０の舌片部２２を袋１の開口部１ａ（一面２及び他面３の間）に挿入しつつ、頭部２１をスライダ本体１０の側面から収納部１４にスライド収納させる。
このとき、ストッパ２０の頭部２１は、底面部２１ａが摺接するガイド部１４ｂによってガイドされるので、所定方向にスライドして収納部１４に収納される。
【００５２】
頭部２１が収納部１４に収納されると同時に、収納部１４の嵌合凸部１４ａが頭部２１の嵌合凹部２１ｃに嵌合する。
このとき、嵌合凸部１４ａと嵌合凹部２１ｃは、頭部２１の板状片２１ｂ，２１ｂが弾性をもって撓むことにより容易に嵌合させることができる。
これにより、ストッパ２０は、ガイド部１４ｂでガイドされつつ、滑らかにスライダ本体１０に収納され、かつ嵌合状態で取り付けられる。
この状態で、ストッパ２０は、嵌合凸部１４ａと嵌合凹部２１ｃの嵌合及びガイド部１４ｃの保持により、スライダ本体１０に対して堅固に取り付けられ、ストッパ２０がスライダ本体１０から外れることはない。
【００５３】
ストッパ２０が取り付けられることによって、舌片部２２が開口部１ａの一面２及び他面３の間に突出するので、スライダ本体１０を開口部１ａの端部までスライドさせても袋１から脱落することがなくなる。
以上により、チャックスライダの取付け作業が完了する。
なお、取り付けられたストッパ２０はスライダ本体１０から取り外す必要はないが、取り外すことは可能である。
この場合、スライダ本体１０の嵌合凸部１４ａが嵌合している一対の板状片２１ｂ，２１ｂを（図３参照）、例えば先端の細い工具等を用いて、底面部２１ａ側に押し下げることにより、嵌合凸部１４ａの嵌合を解除することができるので、この状態で、ストッパ２０を外側にスライドさせてスライダ本体１０から引き抜くことができる。
【００５４】
［チャックスライダの動作］
以上のようにして袋１に取り付けられたチャックスライダは、次のように動作する。
まず、図５（ａ）に示すように、スライダ本体１０を開口部１ａの一端側にスライドさせておく。
このとき、図５（ｂ）に示すように、ストッパ２０の舌片部２２が袋１の貼着部５に当接してスライダ本体１０の移動が規制されるので、スライダ本体１０を容易かつ確実に開口部１ａの一端側に位置させることができる。
また、このストッパ２０の舌片部２２と貼着部５の当接によって、スライダ本体１０が袋１から脱落することはない。
この状態で、チャック４は、凹凸上部４ａ，４ｂの嵌合を解除して自由に開くことができ、寝具や衣類等、任意の内容物を袋１内に収納することができる。
【００５５】
内容物を袋１に収納した後、チャック４を閉じる場合には、開口部１ａの一端側に位置するスライダ本体１０（図５（ａ）に示す位置）を、開口部１ａに沿って他端側にスライドさせる。
チャック４はスライダ本体１０の一対の挟圧部１１，１２によって一定の弾性をもって挟持，押圧されているので、スライダ本体１０がスライドすると、この挟圧部１１，１２の押圧力によって凹凸条部４ａ，４ｂが嵌合される。
従って、スライダ本体１０のスライドに伴って、チャック４の凹凸条部４ａ，４ｂが挟圧部１１，１２によって順次押圧されることになる。
【００５６】
これにより、スライダ本体１０を開口部１ａに沿ってスライド移動させることで（図４及び図５（ａ）に示す矢印参照）、挟圧部１１，１２の押圧力によって凹凸条部４ａ，４ｂを順次嵌合させることができる。
従って、スライダ本体１０を開口部１ａの一端から他端までスライドさせることにより、チャック全体を閉じ合わせることができる。
これにより、スライダ本体１０を備える袋１では、指でチャック４を挟持，押圧することなく、開口部１ａに取り付けたスライダ本体１０をスライドさせるだけで、チャック４を容易かつ確実に嵌合，閉止させて開口部１ａを閉じることができ、本実施形態における二重構造のチャック４も、容易かつ確実に閉じ合わせることができる。
【００５７】
以上説明したように、本実施形態にかかるチャックスライダによれば、袋１のチャック４を押圧，嵌合させるスライダ本体１０と、スライダ本体１０の移動を規制して袋１からのスライダ本体１０の脱落を防止するストッパ２０とを組立て自在な別体に形成してあるので、チャックスライダの袋１への取付け作業を容易かつ確実に行うことができる。
特に、本実施形態では、スライダ本体１０のＵ字状に湾曲する連続部１３の空間を利用してストッパ２０の収納部１４を形成するとともに、ストッパ２０を、収納部１４にスライド収納可能な頭部２１を有する形状としてあるので、スライダ本体１０及びストッパ２０を簡易かつ小型，軽量に形成しつつ、スライダ本体１０へのストッパ２０の取付け作業を容易かつ確実に行える構成とすることができる。
【００５８】
これにより、従来はきわめて困難かつ煩雑であったストッパ付きのチャックスライダの取付けを、容易かつ確実に行うことができるので、特に、大量の袋にチャックスライダを取り付ける製品化工程において、取付け作業を容易，迅速かつ確実に行うことが可能となり、チャックスライダの取付け工程における作業効率を大幅に向上させることができ、製造コストの低減化を実現できる。
【００５９】
また、本実施形態にかかるスライダ本体１０は、合成樹脂等をほぼＵ字状に一体成形して形成されるので、スライダ本体１０をＵ字状に保持するための嵌合構造や保持手段等を別途設ける必要もまったくなく、取り付けられたスライダ本体１０が袋１から不用意に脱落したり、スライダ本体１０が大型化，大重量化する等の弊害も一切なくなり、チャックスライダを簡易かつ小型，軽量に構成することができる。
【００６０】
特に、本実施形態では、スライダ本体１０の収納部１４とストッパ２０の頭部２１を、互いに弾性をもって嵌合可能な構造としているので、ストッパ２０は、スライダ本体２１に対して容易に嵌合，取付けすることができるとともに、取り付けられたストッパ２０は、収納部１４と頭部２１の嵌合力によって堅固に保持され、スライダ本体１０から脱落することもない。
これによって、小型軽量な構成であって、取付け作業も容易で、しかも、脱落等の弊害もない、信頼性の高いチャックスライダを提供することができる。
【００６１】
そして、このような本実施形態にかかる小型軽量で取付け作業も容易なチャックスライダを袋１に備えることで、信頼性の高いチャックスライダ付きの密封袋を提供することができる。
特に、本実施形態にかかるチャックスライダは、チャック４の嵌合，閉止が困難となり易い二重構造チャック等の多重チャックに対しても確実なチャックの閉止動作が行え、かつ、袋１への取付けも容易かつ確実に行えるので、このチャックスライダを備える袋１は、大型のチャックや二重構造のチャックを備える寝具，衣類の圧縮収納用の密封袋として好適である。
【００６２】
なお、本発明のチャックスライダは、上述した実施形態にのみ限定されるものではなく、本発明の要旨の範囲で種々の変更実施が可能であることは言うまでもない。
例えば、上述した実施形態では、スライダ本体の収納部に収納，嵌合するストッパの頭部として、ほぼハ字状（山形状）に傾斜する板状片を備えるようになっているが、頭部は特にこの形状に限定されるものではない。
すなわち、本発明は、別体に構成されたスライダ本体とストッパとが、互いに着脱可能に取り付けられる構成であれば、ストッパの頭部や収納部について、種々の形態，構成をとることが可能であり、上述した実施形態で示した弾性をもって嵌合する頭部と収納部は、このような本発明の好ましい一例である。
【００６３】
また、上記実施形態では特に言及していないが、本発明のチャックスライダを備える密封袋には、袋内を脱気する際に使用するノズル挿入用の逆止弁を備えることができる。
密封袋に逆止弁を設けることにより、掃除機等を用いて袋内を脱気する際に、逆止弁を介して掃除機等のノズルを挿入することで、ノズルを抜いても袋内に空気が逆流することが防止できる。
なお、このような逆止弁は、既存の構造のものを使用することができる。
【００６４】
【発明の効果】
以上説明したように、本発明のチャックスライダ及びこのチャックスライダを備えた密封袋によれば、チャックを嵌合させるスライダ本体と、袋からスライダ本体が脱落することを防止するストッパとを、別部材に形成することができる。これによって、スライダ全体を簡易かつ小型，軽量な構成としつつ、チャックスライダを袋に対して容易かつ確実に取り付けることができ、スライダ本体の脱落も生じない、信頼性の高いスライダチャック及びスライダチャック付き密封袋を実現することができる。
特に、寝具，衣類の圧縮収納用の大型の密封袋に備えられるチャックの嵌合手段として好適なチャックスライダを提供することができる。
【図面の簡単な説明】
【図１】本発明の一実施形態にかかるチャックスライダを示す分解状態の外観斜視図である。
【図２】本発明の一実施形態にかかるチャックスライダを示す、（ａ）は分解状態の側面図、（ｂ）は組立て状態の側面図である。
【図３】本発明の一実施形態にかかるチャックスライダを示す、（ａ）は分解状態の正面図、（ｂ）は組立て状態の要部断面正面図である。
【図４】本発明の一実施形態にかかるチャックスライダを袋に取り付けた状態を示す要部外観斜視図である。
【図５】本発明の一実施形態にかかるチャックスライダを袋に取り付けた状態を示す、（ａ）は袋全体の正面図、（ｂ）は（ａ）の二点鎖線に示す部分の拡大図である。
【図６】従来のチャック嵌合具を示す、（ａ）はチャック嵌合具の外観斜視図、（ｂ）は側面図である。
【図７】図６に示す従来のチャック嵌合具を袋に取り付けた状態を示す要部外観斜視図である。
【図８】脱落防止用ストッパを備えた従来の第一のストッパ付きチャック嵌合具を示す側面図である。
【図９】脱落防止用ストッパを備えた従来の第二のストッパ付きチャック嵌合具を示す、（ａ）は側面図、（ｂ）は展開状態の平面図である。
【図１０】脱落防止用ストッパを備えた従来の第三のストッパ付きチャック嵌合具を示す、（ａ）は分解状態の側面図、（ｂ）は組立て状態の側面図である。
【符号の説明】
１０  スライダ本体
１１  挟圧部
１２  挟圧部
１３  連続部
１４  収納部
１４ａ  嵌合凸部
１４ｂ  ガイド部
２０  ストッパ
２１  頭部
２１ａ  底面部
２１ｂ  板状片
２１ｃ  嵌合凹部
２２  舌片部
【図１】
0003921376.tif 000002
【図２】
0003921376.tif 000003
【図３】
0003921376.tif 000004
【図４】
0003921376.tif 000005
【図５】
0003921376.tif 000006
【図６】
0003921376.tif 000007
【図７】
0003921376.tif 000008
【図８】
0003921376.tif 000009
【図９】
0003921376.tif 000010
【図１０】
0003921376.tif 000011